(57)【要約】【課題】小型化を図る上で有利であり、ディスクカートリッジの出し入れ時に被吸着部材が干渉することを防止できるディスクドライブ装置を提供する。【解決手段】ディスクドライブ装置１００は、筐体１０とトレー１２を備えている。上板１６には、被吸着部材２６が取着されたアーム２４が配設されている。トレー１２が突出位置から記録再生位置に移動した際に、アーム２４の係合部とトレー１２の係合部とが互いに係合し、これによりアーム本体が揺動し、被吸着部材２６は、トレー１２に載置されたディスク状記録媒体の被チャッキング部に臨むチャッキング位置となる。トレー１２が記録再生位置から突出位置に移動することにより、アーム２４の係合部がトレー１２の係合部から離れ、これによりアーム本体が揺動し、被吸着部材２６はディスク状記録媒体の被チャッキング部の上方に退避した退避位置となる。【選択図】        図１
2004310917.tif 000002
【特許請求の範囲】
【請求項１】
筐体と、
ディスク状記録媒体またはディスク状記録媒体を収容したディスクカートリッジが載置され、前記筐体の内部に引込まれた記録再生位置と、前記筐体の外部に引き出された突出位置との間で移動するトレーと、
前記筐体内に設けられ前記トレーの記録再生位置において前記ディスク状記録媒体に対して情報の記録および／または再生を行なうピックアップと、
前記筐体内に設けられ前記トレーの記録再生位置において前記ディスク状記録媒体の被チャッキング部を保持するチャッキング手段と、
前記筐体内に設けられ前記チャッキング手段で保持されたディスク状記録媒体を回転駆動する回転駆動手段とを備え、
前記チャッキング手段は、前記ディスク状記録媒体の被チャッキング部の下面が載置されるマグネットが組み込まれたターンテーブルと、前記トレーの記録再生位置において前記ディスク状記録媒体の上面に臨み前記マグネットにより吸着される被吸着部材とを有したディスクドライブ装置であって、
前記記録再生位置における前記トレーの上方の筐体箇所に上下に揺動可能に配設され、前記被吸着部材を支持して被吸着部材を前記被チャッキング部の上面の上方に退避した退避位置と、前記被吸着部材を前記被チャッキング部の上面に臨ませるチャッキング位置との間を上下に移動させるアームと、
前記トレーが記録再生位置から突出位置に移動する際に前記アームを揺動させて前記被吸着部材を前記退避位置に移動させ、前記トレーが突出位置から記録再生位置に移動した際に、前記アームを揺動させて前記被吸着部材を前記退避位置から前記チャッキング位置に移動させるアーム揺動手段と、
を備えることを特徴とするディスクドライブ装置。
【請求項２】
前記アームは前記記録再生位置と前記突出位置との間のトレーの移動方向に延在し、その延在方向の中間部を支点としてその延在方向の両端が上下に揺動するように配設され、前記被吸着部材は前記アームの延在方向の一端に配設されていることを特徴とする請求項１記載のディスクドライブ装置。
【請求項３】
前記アームは前記記録再生位置と前記突出位置との間のトレーの移動方向に延在し、その延在方向の中間部を支点としてその延在方向の両端が上下に揺動するように配設され、前記アームの延在方向の一端に貫通孔が設けられ、前記被吸着部材を支持するホルダが設けられ、前記ホルダは前記貫通孔に該貫通孔の軸心方向に移動可能にかつ該貫通孔の軸心回りに回転可能に配設された軸部と、この軸部の両端に前記貫通孔よりも大きい径で形成されたフランジとを備え、前記被吸着部材は、前記被チャッキング部に臨む前記フランジの下面に配設されていることを特徴とする請求項１記載のディスクドライブ装置。
【請求項４】
前記アーム揺動手段は、前記被吸着部材が前記退避位置に位置するように前記アームを付勢するばね手段と、前記アームとトレーとに設けられ、前記トレーが記録再生位置から突出位置に移動する際に互いに離れて前記ばね手段の付勢力により前記アームを揺動させ、前記被吸着部材を前記チャッキング位置から前記退避位置に移動させ、前記トレーが突出位置から記録再生位置に移動した際に互いに係合して前記ばね手段の付勢力に抗して前記アームを揺動させ、前記被吸着部材を前記退避位置から前記チャッキング位置に移動させる係合部とを含んで構成されていることを特徴とする請求項１記載のディスクドライブ装置。
【請求項５】
前記アームは前記記録再生位置と前記突出位置との間のトレーの移動方向に延在し、その延在方向の中間部を支点としてその延在方向の両端が上下に揺動するように配設され、前記被吸着部材は前記アームの延在方向の一端に配設され、前記アーム揺動手段は、前記被吸着部材が前記退避位置に位置するように前記アームを付勢するばね手段と、前記アームとトレーとに設けられ、前記トレーが記録再生位置から突出位置に移動する際に互いに離れて前記ばね手段の付勢力により前記アームを揺動させ、前記被吸着部材を前記チャッキング位置から前記退避位置に移動させ、前記トレーが突出位置から記録再生位置に移動した際に互いに係合して前記ばね手段の付勢力に抗して前記アームを揺動させ、前記被吸着部材を前記退避位置から前記チャッキング位置に移動させる係合部とを含んで構成され、前記トレーは前記記録再生位置と前記突出位置との間で移動する方向の長さを有し、前記係合部は前記アームの延在方向の他端と、前記トレーの長さ方向の前記記録再生位置側の端部にそれぞれ設けられていることを特徴とする請求項１記載のディスクドライブ装置。
【発明の詳細な説明】
【０００１】
【発明の属する技術分野】
本発明は、ディスク状記録媒体に対して情報の記録および／または再生を行なうディスクドライブ装置に関する。
【０００２】
【従来の技術】
従来、ＣＤ、ＤＶＤなどのようなベアディスク状態で用いられる光ディスクが提供されている。また、光ディスクの両面を覆うように光ディスクがカートリッジケースに収容されたディスクカートリッジが提供されている。
そして、ベアディスク状態の光ディスクと、前記カートリッジケースに収容された光ディスクの双方に対して記録および／または再生を可能としたディスクドライブ装置が提供されている（例えば、特許文献１参照）。
このようなディスクドライブ装置においては、ベアディスク状態で用いられる光ディスクを使用する際には、スピンドルモータのターンテーブルに組み込まれたマグネットと、該マグネットに吸着される被吸着部材とで光ディスクの被チャッキング部を挟むことで光ディスクをチャッキングしている。
また、ディスクカートリッジを使用する際には、ディスクカートリッジの光ディスクの被チャッキング部に組み込まれている吸着板をターンテーブルのマグネットで吸着することで光ディスクをチャッキングしている。
そして、ディスクカートリッジを使用する際には、被吸着部材がディスクカートリッジと干渉しないように、被吸着部材をディスクカートリッジを出し入れする方向の奥方に位置させた退避位置に移動させる機構を用いている。
【０００３】
【特許文献１】
特開２００３−６７９２０号公報
【０００４】
【発明が解決しようとする課題】
上述した従来装置では、被吸着部材をディスクカートリッジを出し入れする方向の奥方に位置させた退避位置に移動させる機構を設けているため、ディスクカートリッジを出し入れする方向に被吸着部材の退避スペースを確保しなくてはならず、装置の小型化を図る上で不利である。
また、例えばブルーレイディスクの一部に用いられているように、カートリッジケースの上面のディスク収容用の凹部に光ディスクが収容された状態で、該光ディスクの外周に該光ディスクの上面よりも高い環状の凸部が形成されているディスクカートリッジを用いる場合には、被吸着部材をディスクカートリッジを出し入れする方向の奥方に移動させる機構では、被吸着部材がカートリッジケースの前記環状の凸部に干渉するため、ディスクカートリッジを使用することが困難であるという問題がある。
本発明は、このような実状に鑑みなされたものであり、小型化を図る上で有利であり、ディスクカートリッジの出し入れ時に被吸着部材が干渉することを防止できるディスクドライブ装置を提供することを目的とする。
【０００５】
【課題を解決するための手段】
本発明の光ディスク装置は上記目的を達成するため、筐体と、ディスク状記録媒体またはディスク状記録媒体を収容したディスクカートリッジが載置され、前記筐体の内部に引込まれた記録再生位置と、前記筐体の外部に引き出された突出位置との間で移動するトレーと、前記筐体内に設けられ前記トレーの記録再生位置において前記ディスク状記録媒体に対して情報の記録および／または再生を行なうピックアップと、前記筐体内に設けられ前記トレーの記録再生位置において前記ディスク状記録媒体の被チャッキング部を保持するチャッキング手段と、前記筐体内に設けられ前記チャッキング手段で保持されたディスク状記録媒体を回転駆動する回転駆動手段とを備え、前記チャッキング手段は、前記ディスク状記録媒体の被チャッキング部の下面が載置されるマグネットが組み込まれたターンテーブルと、前記トレーの記録再生位置において前記ディスク状記録媒体の上面に臨み前記マグネットにより吸着される被吸着部材とを有したディスクドライブ装置であって、前記記録再生位置における前記トレーの上方の筐体箇所に上下に揺動可能に配設され、前記被吸着部材を支持して被吸着部材を前記被チャッキング部の上面の上方に退避した退避位置と、前記被吸着部材を前記被チャッキング部の上面に臨ませるチャッキング位置との間を上下に移動させるアームと、前記トレーが記録再生位置から突出位置に移動する際に前記アームを揺動させて前記被吸着部材を前記退避位置に移動させ、前記トレーが突出位置から記録再生位置に移動した際に、前記アームを揺動させて前記被吸着部材を前記退避位置から前記チャッキング位置に移動させるアーム揺動手段とを備えることを特徴とする。
そのため、トレーが記録再生位置から突出位置に移動することにより、アーム揺動手段によって被吸着部材はディスク状記録媒体の被チャッキング部の上面の上方に退避した退避位置退避位置に移動され、トレーが突出位置から記録再生位置に移動することにより、アーム揺動手段によって被吸着部材は被チャッキング部の上面に臨むチャッキング位置に移動される。
したがって、ディスクカートリッジの出し入れ時に、被吸着部材がトレーの凹凸やトレーに載置されたディスクカートリッジの部分に干渉するおそれがなく、また、ディスクカートリッジを出し入れする方向に被吸着部材の退避スペースを確保する必要がない。
【０００６】
【発明の実施の形態】
以下、本発明によるディスクドライブ装置における実施の形態を図面に基づいて説明する。
図１は実施の形態におけるディスクドライブ装置の分解斜視図、図２はディスクドライブ装置の本体の部分斜視図、図３は本体の平面図、図４はトレーが突出位置に位置した状態を示す平面図、図５はトレーとアームおよび被吸着部材の位置関係を示す説明図、図６は上板の斜視図、図７（Ａ）はアームおよび被吸着部材の斜視図、（Ｂ）は被吸着部材の部分断面図、図８はカバーの斜視図、図９はカバー、アーム、被吸着部材の一部を破断した斜視図、図１０は被吸着部材がチャッキング位置に位置した状態の断面図、図１１はカバー、アーム、被吸着部材、ターンテーブルの一部を破断した斜視図、図１２は被吸着部材が退避位置に位置した状態の断面図である。
【０００７】
図１に示すように、ディスクドライブ装置１００は、筐体１０と、筐体１０の内部と外部にわたって移動可能に配設されたトレー１２とを備えている。
筐体１０は、前後方向の長さが左右用方向の幅に比べて大きい寸法の矩形板状に形成されている。
筐体１０は、上面が開放された平面視矩形の本体１４と、本体１４の上面を覆う上板１６と、この上板１６を覆うカバー１７を有している。
本体１４は、前後方向に長手方向を有する矩形状の底壁と、底壁の前後の辺から起立された前壁および後壁と、底壁の左右の辺から起立された２つの側壁とを有し、前記前壁には、トレー１２を出し入れするための開口１４０２が設けられている。
【０００８】
図２に示すように、本体１４の底壁のほぼ中央には、ディスク状記録媒体を回転する回転駆動手段としてのスピンドルモータ１８が設けられ、スピンドルモータ１８を挟んで第１のピックアップ２０と第２のピックアップ２２が設けられている。これらスピンドルモータ１８、第１のピックアップ２０、第２のピックアップ２２は本体１４の前後方向に並べられ、第１のピックアップ２０はスピンドルモータ１８の前方に位置し、第２のピックアップ２２はスピンドルモータ１８の後方に位置している。
図１に示すように、スピンドルモータ１８は回転軸を有し、該回転軸の上端には、ディスク状記録媒体の被チャッキング部の下面が載置されるフランジ状のターンテーブル１８０２が回転軸と一体的に回転するように設けられ、ターンテーブル１８０２にはマグネットが組み込まれている。そして、回転軸が上下方向（軸線方向）に移動することにより、ターンテーブル１８０２は、トレーに載置されたディスク状記録媒体の被チャッキング部の下面から離間する下方の退避位置と、前記被チャッキング部の下面に当接する上方のチャッキング位置との間を移動するように構成されている。
【０００９】
図２、図３に示すように、第１、第２のピックアップ２０、２２は、前後方向に延在するガイドレール１４０４、１４０６に沿って前後方向に、すなわち、ターンテーブル１８０２に対して離間接近する方向に移動可能に配設され、トレー１２の記録再生位置においてディスク状記録媒体に対して情報の記録および／または再生を行なうように構成されている。
第１、第２のピックアップ２０、２２は、それぞれ光源や受光素子、対物レンズなどを含んで構成され、本実施の形態では、第１のピックアップ２０はＣＤ、ＣＤ−Ｒ、あるいはＤＶＤに対して６５０ｎｍあるいは６８０ｎｍの波長のレーザー光を用いて記録および／または再生を行なうものであり、第２のピックアップ２２は高密度記録用のＤＶＲ（ブルーレイディスク）に対して４０５ｎｍのレーザー光を用いて記録および／または再生を行なうものである。
【００１０】
図１に示すように、トレー１２は、前後方向の長さが左右方向の幅よりも大きい矩形板状に形成され、トレー１２は、図示しない駆動機構および案内機構によって前後方向に移動され、開口１４０２を介して筐体１０の内部の記録再生位置と、筐体１０の外部でディスク状記録媒体やディスクカートリッジの出し入れを行なう突出位置（図４）との間で往復移動される。
トレー１２の上面には、矩形状の輪郭を有する第１の凹部１２０２が設けられ、第１の凹部１２０２の底面には、第１の凹部１２０２よりも小さい輪郭の正円状の第２の凹部１２０４が設けられている。また、これら第１、第２の凹部１２０２、１２０４の底面には前後方向に延在する切欠１２０６が設けられている。
第１の凹部１２０２には、ディスク状記録媒体を収容した矩形板状のディスクカートリッジが載置され、第２の凹部１２０４には、ベアディスク状態のディスク状記録媒体が載置されるようになっている。また、トレー１２が記録再生位置に位置した状態でトレー１２の切欠１２０６を介してターンテーブル１８０２、第１、第２のピックアップ２０、２２がディスク状記録媒体の下面に臨むようになっている。
また、図２、図１１、図１２に示すように、トレー１２の上面後部の幅方向の中央には、凸状のカム面を有する係合部１２０８が形成され、この係合部１２０８の前後長さは、ディスク状記録媒体の半径よりも十分に小さい寸法で形成されている。
【００１１】
図１に示すように、上板１６は前後方向の長さが左右用方向の幅に比べて大きい寸法の矩形板状に形成されている。
上板１６は本体１４の上面開口に挿入され、本体１４のフック１４０８が上板１６の溝１６０１に挿入されて位置決めされ、これにより本体１４の上面開口を閉塞するように構成されている。
【００１２】
上板１６には、図６に示すように、ディスクカートリッジが前後方向に案内される際にトレー１２に安定して保持させるための支持手段１６０２とアーム２４が設けられている。
支持手段１６０２は、上板１６の左右の側部で前後方向の前部および中央部にそれぞれ設けられている。
支持手段１６０２は、上板１６の切欠内に軸１６０３Ａを介して上下に揺動可能に配設されたアーム１６０４と、アームの先端に回転可能に設けられたローラ１６１２と、アーム１６０４を下方に揺動する方向に付勢するコイルスプリング１６０３Ｂと、アーム１６０４の先端に設けられ切欠の縁に当接してアーム１６０４の下方への限界位置、すなわち下限位置を規制するストッパとを含んで構成されている。
そして、ストッパが切欠の縁に当接したアームの下限位置においてローラ１６０２は上板１６の下方に突出した位置になり、ディスクカートリッジの上面に接触してディスクカートリッジを上下方向に保持するように構成されている。
【００１３】
上板１６の中央部には、前後方向に延在する開口１６０５が形成され、アーム２４はこの開口１６０５の内側に配設されている。
開口１６０５の前縁を構成する上板１６部分には第１の当接片１６０６が突設され、第１の当接片１６０６には切欠１６０７が形成されている。開口１６０５の長さ方向の中間の幅方向の両縁を構成する上板１６部分には２つの第２の当接片１６０８が突設され、第１の当接片１６０６の上面に当接するアーム２４の厚み分だけ間隔をおいて前記上面の上方に位置する面と、第２の当接片１６０８の下面とが同一平面上に位置するように構成されている。
２つの第２の当接片１６０８の後方の開口１６０５箇所には、幅方向に延在する接続板部１６０９が設けられ、接続板部１６０９の幅方向の中間箇所から前方に向けて取着片１６１０が延出されている。
【００１４】
アーム２４は、図７（Ａ）に示すように、薄板材で形成され開口１６０２の内側で前後方向に延在するアーム本体２４０２と、アーム本体２４０２に設けられた被取着部材２６や第１のばね部材２８（特許請求の範囲のばね手段に相当）、第２のばね部材３０などを含んで構成されている。
アーム本体２４０２の前端には、第１の当接片１６０６に当接する当接片２４０４が形成され、当接片２４０４の先端にはアーム本体２４０２の切欠１６０７に対応する孔２４０５が設けられている。アーム本体２４０２の前後方向の中間部の両側は第２の当接片１６０８に当接する当接部２４０７が設けられている。また、アーム本体２４０２の前部には円形の貫通孔２４０６が形成され、アーム本体２４０２の前後方向の中間部から後部にわたって開口２４０８が延在形成されている。
【００１５】
第１のばね部材２８は帯状のばね板により形成され、屈曲部２８０１を介して連結された前部２８０２および後部２８０４と、後部２８０４の後端に設けられた係止片２８０６とを備え、側面視した場合に前部２８０２と後部２８０４は逆への字状を呈している。
前部２８０２はアーム本体２４０２の下面で開口２４０８の前方の箇所に取着され、後部２８０４は開口２４０８を通り屈曲部２８０１を介して後方で斜め上方に延在しアーム本体２４０２の上面よりも上方に突出している。
【００１６】
第２のばね部材３０は帯状のばね板により形成され、屈曲部３００１を介して連結された前部３００２および後部３００４と、後部３００４の後端に設けられた係合部３００６とを備え、側面視した場合に前部３００２と後部３００４はへの字状を呈している。
前部３００２はアーム本体２４０２の後端下面に取着され、後部３００４は屈曲部３００１を介してアーム本体２４０２に対して後方に向かうに従い次第に下方に位置するように傾斜して延在し、係合部３００６は下方に向かって凸状となるように屈曲されている。
【００１７】
被吸着部材２６は合成樹脂製のホルダ２６Ａに設けられている。
ホルダ２６Ａは、中空状の軸部２６０２と、軸部２６０２の上下に設けられた上部フランジ２６０４、下部フランジ２６０６を有している。
軸部２６０２は、貫通孔２４０６内を回転できかつ上下に移動できるように貫通孔２４０６よりも小径に形成され、上部フランジ２６０４および下部フランジ２６０６は、貫通孔２６０６よりも大径に形成されている。
図７（Ｂ）に示すように、下部フランジ２６０６の下面外周にはその全周にわたって湾曲部２６０７が形成されている。下部フランジ２６０６の中央には円形孔２６０９が形成されている。
被吸着部材２６は、マグネットに吸着される鉄などの磁性材料から円盤状に形成され、被吸着部材２６は軸部２６０２の下端に取着されて円形孔２６０９から下方に臨んでいる。
被取着部材２６は、軸部２６０２が貫通孔２４０６に挿通されることで回転可能に、かつ、軸部２６０２と一体に軸部２６０２の軸線方向に移動可能に、すなわち上下のフランジ２６０４、２６０６が貫通孔２４０６の縁部に当接する範囲で上下に移動可能にアーム２４に取着されている。なお、上下のフランジ２６０４、２６０６の少なくとも一方は、従来公知の様々な機構により軸部２６０２に対して着脱可能に結合されている。
【００１８】
図１に示すように、カバー１７は本体１４の上面開口を覆う大きさの上面１７０２と、上面の左右両側および後部から垂設された側面１７０４とを備えている。
カバー１７は、上板１６が上面開口に挿入された本体１４の上から被せられ、カバー１７は、側面１７０４のねじ挿通孔１７０６に挿通されたねじを本体１４の側壁のねじ孔に螺合することで取着されている。カバー１７の上面の内面にはその四辺にわたってクッション材が延在して設けられ、カバー１７が本体１４に取着された状態でこのクッション材が上板１６の上面の四辺に接触され、これにより塵埃などの本体１４内への侵入が阻止されている。
また、図８、図９に示すように、カバー１７の上面１７０２には、収容凹部１７０８が形成されており、アーム２４の前部が収容凹部１７０８内に収容されるように構成されている。
【００１９】
次に、アーム２４の組み付けについて説明する。
図６に示すように、アーム本体２４０２の上面を上板１６の下面に臨ませつつ、係止片２８０６を接続板部１６０９の下方から孔１６１１を通し、該係止片２８０６を接続板部１６０９の上面で孔１６１１の後部を縁取る箇所に係止させる。そして、第１のばね部材２８の後部２８０４の上面を上板１６の取着片１６１０の下面に合わせた状態で、アーム本体２４の孔２４０５と上板１６の切欠１６０７にピンを挿通しこれによりアーム本体２４と上板１６の位置決めを行なう。次いで、図７に示すように、後部２８０４に形成されたねじ挿通孔２８０８を介して後部２８０４の下面からねじ２８１０を取着片１６１０のねじ孔に螺合する。したがって、取着片１６１０の下面に後部２８０４の上面が合わされ固定されることでアーム２４は上板１６に取着される。このようにアーム２４の取着が終了した後、前記ピンは取り外される。
さらに、図９に示すように、アーム本体２４が取着された上板１６が、本体１４の上面開口を閉塞するように本体１４に挿入され、カバー１７を介して上板１６が本体１４に取着される。
【００２０】
次に作用について説明する。
上述のように、カバー１７を介して上板１６が本体１４に取着された状態でアーム本体２４０２は、開口１６０５内において、平面視した場合、前後方向に延在するとともに、第１のばね部材２８の屈曲部２８０１のばね力によって側面視した場合、上下方向に斜めに延在し、アーム本体２４０２の前部が開口１６０５を介して上板１６の上面よりも上方に突出し、後部が上板１６の上面よりも下方に突出する。
そして、ホルダ２６Ａは上部フランジ２６０４が貫通孔２４０６の縁部に係合し、下部フランジ２６０６がアーム本体２４０２の下方に突出するが、下部フランジ２６０６は上板１６の下面よりも上方に位置した退避位置となる。
また、アーム本体の後端の係合部３００６はトレー１２の移動軌跡上に位置した状態となる。
【００２１】
そして、図５、図１０、図１１に示すように、第２の凹部１２０４にベアディスク状態のディスク状記録媒体２が載置されたトレー１２が突出位置から記録再生位置に移動した際に、アーム２４の係合部３００６とトレー１２の係合部１２０８とが互いに係合し、これによりアーム本体２４０２は、第１のばね部材２８の付勢力に抗して屈曲部２８０１を支点として後部が上方に前部が下方に位置するように揺動し、トレー１２が記録再生位置に位置した状態でアーム本体２４０２の当接片２４０４が上板１６の第１の当接片１６０６に当接するとともに、アーム本体２４０２の当接部２４０７が上板１６の第２の当接片１６０８の下面に当接した状態に維持される。
この状態で、被吸着部材２６はディスク状記録媒体２の被チャッキング部の上方に臨むチャッキング位置になる。
そして、ターンテーブル１８０２が退避位置からチャッキング位置に移動することにより、ディスク状記録媒体のチャッキング部の下面がターンテーブル１８０２に載置された状態で上方に移動される。これにより、被吸着部材２６がチャッキング部を挟んでターンテーブル１８０２のマグネットに吸着されるので、ディスク状記録媒体の被チャッキング部がターンテーブル１８０２と被吸着部材２６によって挟持された状態となる。
この状態でスピンドルモータ１８が駆動されてターンテーブル１８０２が回転すると、ディスク状記録媒体は被吸着部材２６とともに回転駆動され、第１のピックアップ２０あるいは第２のピックアップ２２により切欠１２０６を介してディスク状記録媒体に対する情報の記録および／または再生がなされる。
【００２２】
また、トレー１２が記録再生位置から突出位置に移動する際には、まず、ターンテーブル１８０２がチャッキング位置から退避位置に移動することにより、ディスク状記録媒体がターンテーブル１８０２に載置された状態で下方に移動され、次いで、被チャッキング部の下面からターンテーブル１８０２が離間する。
そして、トレー１２が記録再生位置から突出位置に移動することにより、係合部３００６がトレー１２の係合部１２０８から離れ、これによりアーム本体２４０２は、第１のばね部材２８の付勢力により屈曲部２８０１を支点として後部が下方に前部が上方に位置するように揺動する。すなわち、トレー１２が記録再生位置から係合部１２０８の前後長さ分、突出位置側に移動した状態で、被吸着部材２６はディスク状記録媒体の被チャッキング部の上面の上方に退避した退避位置となり、アーム本体２４０２の後端の係合部３００６はトレー１２の移動軌跡上に位置した状態に復帰する。
【００２３】
次に効果について説明する。
したがって、本実施の形態によれば、第１の凹部１２０２に載置された状態で第２の凹部１２０４の外側に凹凸があるディスクカートリッジの場合であっても、下部フランジ２６０６は退避位置に位置しているので、ディスクカートリッジに干渉するおそれはなく、種々の形状のディスクカートリッジを使用することができる。
例えば、上述したベアディスク状態のディスク状記録媒体に代えて、次のような形態の第１のディスクカートリッジを使用することができる。
すなわち、第１のディスクカートリッジは、カートリッジケースが正円状の凹部と、該凹部の外縁に沿って延在する側縁部とを有している。ディスク状記録媒体は、その記録面を前記凹部の底面に臨ませ、ディスク状記録媒体の記録面と反対側の面（レーベル面）を上方に露出した状態で凹部に収容され、これにより第１のディスクカートリッジが構成されている。この第１のディスカートリッジでは、前記側縁部は前記凹部に収容されたディスク状記録媒体の上面よりも高く、したがって前記側縁部によりディスク状記録媒体の外周に沿って上方に突出した環状の凸部が形成されている。
このような形態の第１のディスクカートリッジの場合は、該第１のディスクカートリッジをトレー１２の第１の凹部１２０２に載置した状態でトレー１２が記録再生位置から突出位置に移動することにより、下部フランジ２６０６が退避位置となるので、下部フランジ２６０６が前記環状の凸部に干渉するおそれがない。
【００２４】
また、例えば、次のような形態の第２のディスクカートリッジを使用することができる。
すなわち、第２のディスクカートリッジは、カートリッジケースが矩形板状を呈し、その内部にディスク状記録媒体が収容され、ディスク状記録媒体の上面（レーベル面）はカートリッジケースの上面で覆われている。また、ディスク状記録媒体の被チャッキング部には鉄などの磁性体からなる吸着板が組み込まれている。
このような形態の第２のディスクカートリッジの場合は、該第２のディスクカートリッジをトレー１２の第１の凹部１２０２に載置した状態でトレー１２が突出位置から記録再生位置に移動することにより、アーム本体２４０２が揺動して下部フランジ２６０６の下面がカートリッジケースの上面に載置される。この際、アーム本体２４０２は、貫通孔２４０６の縁部が被吸着部材２６の上部フランジ２６０４と下部フランジ２６０６との中間に位置した状態となっている。そのため、下部フランジ２６０６の下面がカートリッジケースの上面に載置された際に、ホルダ２６Ａが上方に移動するので、カートリッジケースの上面にはホルダ２６Ａおよび被吸着部材２６のごく軽い自重が加わるのみであり、ホルダ２６Ａを介してカートリッジケースやその内部のディスク状記録媒体に力が加わって悪影響を及ぼすおそれがない。
また、第２のディスクカートリッジをトレー１２の第１の凹部１２０２に載置した状態でトレー１２が記録再生位置から突出位置に移動することにより、下部フランジ２６０６が退避位置となるので、下部フランジ２６０６がカートリッジケースに干渉するおそれがない。
したがって、ＣＤやＣＤ−Ｒ、あるいはＤＶＤ、ＤＶＤ−Ｒなどのベアディスク状態のディスク状記録媒体や、上述した第１、第２のディスクカートリッジを支障なく用いることができる。
【００２５】
またアームの揺動により、被吸着部材を、ディスク状記録媒体の被チャッキング部の上面の上方に退避した退避位置と、前記被チャッキング部の上面に臨むチャッキング位置との間を移動させる構成としたので、ディスクカートリッジを出し入れする方向に被吸着部材の退避スペースを確保する必要がないため、装置の小型化を図る上で有利となる。
また、下部フランジ２６０６の下面外周にはその全周にわたって湾曲部２６０７が形成されているので、湾曲部２６０７が、トレー１２の部分、あるいは、第１、第２のディスクカートリッジのカートリッジケースの部分に接触したとしてもこれらの部分が湾曲部２６０７の曲面に案内されるため、無理な力が被吸着部材２６、トレー１２、あるいはカートリッジケースに加わるおそれがない。
【００２６】
なお、本実施の形態では、アーム２４を上下に揺動させるアーム揺動手段を第１のばね部材２８とアーム２４の係合部３００６とトレー１２の係合部１２０８とで構成した場合について説明したが、このアーム揺動手段は、実施の形態の構成に限定されず、例えば、アクチュエータを用いたり、あるいは、リンク機構を用いて構成するなど任意である。ただし、実施の形態のように第１のばね部材とアームとトレーを利用することでアーム揺動手段を構成すると、部品点数を削減する上で、また、コストを削減をする上で有利となる。
また、本実施の形態では、ディスク状記録媒体がピックアップによる光ビームの照射によって記録および／または再生がなされる光ディスクとして説明したが、本発明は、光磁気ディスク、磁気ディスク、静電式ディスクなどの各種のディスク状記録媒体に対して記録および／または再生を行なうディスクドライブ装置に適用可能であり、それぞれのディスク状記録媒体に応じて、対応する機能を有するピックアップが用いられることは勿論である。
【００２７】
【発明の効果】
以上説明したように本発明によれば、小型化を図る上で有利であり、ディスクカートリッジの出し入れ時に被吸着部材が干渉することを防止できるディスクドライブ装置を提供することができる。
【図面の簡単な説明】
【図１】実施の形態におけるディスクドライブ装置の分解斜視図である。
【図２】ディスクドライブ装置の本体の部分斜視図である。
【図３】本体の平面図である。
【図４】トレーが突出位置に位置した状態を示す平面図である。
【図５】図５はトレーとアームおよび被吸着部材の位置関係を示す説明図である。
【図６】上板の斜視図である。
【図７】（Ａ）はアームおよび被吸着部材の斜視図、（Ｂ）は被吸着部材の部分断面図である。
【図８】カバーの斜視図である。
【図９】カバー、アーム、被吸着部材の一部を破断した斜視図である。
【図１０】被吸着部材がチャッキング位置に位置した状態の断面図である。
【図１１】カバー、アーム、被吸着部材、ターンテーブルの一部を破断した斜視図である。
【図１２】被吸着部材が退避位置に位置した状態の断面図である。
【符号の説明】
１００……ディスクドライブ装置、１０……筐体、１２……トレー、１４……本体、１６……上板、１７……カバー、１８……スピンドルモーター、１８０２……ターンテーブル、２０……第１のピックアップ、２２……第２のピックアップ、２４……アーム、２６……被吸着部材、２８……第１のばね部材、３０……第２のばね部材、１２０８……カム部、２４０２……アーム本体、３００６……係合部。
【図１】
2004310917.tif 000003
【図２】
2004310917.tif 000004
【図３】
2004310917.tif 000005
【図４】
2004310917.tif 000006
【図５】
2004310917.tif 000007
【図６】
2004310917.tif 000008
【図７】
2004310917.tif 000009
【図８】
2004310917.tif 000010
【図９】
2004310917.tif 000011
【図１０】
2004310917.tif 000012
【図１１】
2004310917.tif 000013
【図１２】
2004310917.tif 000014